(57)【要約】      （修正有）【課題】特別な記念日を忘れることがないように、この記念日を一部として組み込んだ時計を提供する。【解決手段】記念日は年月日で表示され、年は、数字４，５・・・と同じく、木製板を切り抜いて作られて時計本体１のコーナー部に固定されている。月を示す数字は、時刻を示す数字４，５，６・・・と同じく、木製板を切り抜いて作られているが、その大きさは他の数字４，５，６・・・に比べて非常に大きく、数字１，２，３の領域に跨った大きさにて形成され、しかも時計本体１からその一部ははみ出している。日は長針３に表示している。【選択図】図１
2018013410.tif 000002
【特許請求の範囲】
【請求項１】
特別な記念日を表示した時計において、該記念日を表す年は時計本体の表面に形成し、記念日を表す月は時刻を示す為に設けている位置に該当する数字を極端に大きくして形成し、また記念日を表す日は長針又は本体表面に形成したことを特徴とする記念日を表示した時計。
【請求項２】
上記月を示す数字は時計本体からはみ出して形成した請求項１記載の記念日を表示した時計。
【請求項３】
上記時刻を表す数字の代わりに●印を形成した請求項１、又は請求項２記載の記念日を表示した時計。
【請求項４】
上記時刻を表す数字を無くした請求項１、又は請求項２記載の記念日を表示した時計。
【発明の詳細な説明】
【技術分野】
【０００１】
本発明は特定の記念日を時計の一部として組み合せて構成した時計に関するものである。
【背景技術】
【０００２】
近年、時計をお祝いの品や引き出物として使用する場合は多い。これには色々な理由があるであろうが、見栄えが良い割りに比較的手頃な値段であること、又時計は毎日使うものであることが主な理由であろう。したがって、結婚式のお祝いの品、新築祝いの品など、又結婚式の引き出物の品、法事の引き出物として時計が使われるケースが多い。
【０００３】
結婚式の祝いの品として頂いた上記時計や新築祝としてもらった時計は、一般的に市販されているものであり、あくまでも時を刻む時計としては機能するが、特定の記念日を表示することは出来ない。その為に、もらって長い年月が経過すると、あくまでも普通の時計であり、特別なものではなくなる。
しかし、従来において、特定の記念日を表示するように機能する時計も知られている。
【０００４】
実用新案登録第３０５７８０１号に係る「置時計、腕時計等小型時計」は、ドット表示式動画表示部をもつ液晶画面および各設定スイッチの設け部をならびにアラーム停止スイッチをそれぞれ設けた本体の中に次の機能、すなわち液晶画面に時刻、年月日を表示する機能、アラーム機能、１２ｈｒ／２４ｈｒ表示の切り替機能、カレンダー機能、指定した年月日までの日数のカウントダウン表示機能、クリスマス、正月、バレンタインデーのような特定の日に動画表示部にドット表示の動画を表示する機能、誕生日、結婚記念日のような特定個人の記念日に動画表示部にドット表示の動画を表示する機能、ジングルベル、ハッピーバースデーのような特定のイベントに合せた音楽を奏でるメロディ機能、特定のイベントがない日には通常画面として動画表示部に動画を表示する機能を備えた基板と電池とを内蔵している。
【０００５】
実用新案登録第３０１４３２６号に係る「残日数及び経過日数表示計」は、日頃の時刻の確認と同じ感覚で記念日までの日数を確認することができる残日数及び経過日数表示計であり、特別な記念日をセットしておくことによって記念日までの残り日数を表示して確認することができるように成っている。
そこで、表面部の中央位置に西暦、日付、時間、残日数、経過日数、曜日の表示部分を設けた液晶パネルが組み込まれ、液晶パネルは、残日表示モードにした状態では、上段から曜日表示部、現在の日付表示部、セットした記念日の表示部、現在の日付から記念日までの残日数の表示部の４区画で表示されるようにセッティングされている。
【０００６】
【特許文献１】実用新案登録第３０５７８０１号に係る「置時計、腕時計等小型時計」
【特許文献２】実用新案登録第３０１４３２６号に係る「残日数及び経過日数表示計」
【発明の開示】
【発明が解決しようとする課題】
【０００７】
このように、今日多種多様な時計が存在しており、特定の記念日に成るとその日を自動的に知らせることが出来るように構成している時計も知られている。
しかし、このように特定の記念日に成るとその日を知らせる時計では、記念日を祝う時計としては十分に機能せず、３６５日のうち３６４日は普通の時計でしかない。しかも、上記のような機能を備えた時計はコストも高く成ってしまう。
本発明が解決しようとする課題はこの問題点であり、特定の記念日を時計のデザインとして組み込んで構成した時計を提供する。
【課題を解決するための手段】
【０００８】
本発明に係る時計は特定の記念日を常に表示するように構成したもので、時計としての基本構造は従来と共通している。すなわち、時計本体の正面には文字盤を形成し、該文字盤の中心には短針及び長針が取付けられて、各針は一定の時刻を刻むことが出来るように回転することが出来る。その為に、上記時計本体には各針を回転することが出来る電源並びに駆動機構を有している。
【０００９】
ところで、上記文字盤の周辺部には１〜１２の数字が形成されているが、この数字の中で特定の記念日に当たる月を目立つように大きくしている。また必要に応じて別に製作した大きな数字板を所定の位置に固定することもあり、さらには文字盤の外周からはみだして大きくした数字板を取付けることも可能である。
【００１０】
そして、時刻を表す他の数字は小さくし、時には数字に代わって●印として表現したり、該当する月以外を全く表示しない文字盤とする場合もある。そして、特定の記念日を表す年については上記文字盤の適当な箇所に表示し、日に関しては針などに表示することが出来る。ただし、上記文字盤を用いることなく時計本体の表面に時刻を表示する数字を形成することもある。
【発明の効果】
【００１１】
本発明に係る時計は特定の記念日を表示したものである。しかも、記念日に当たる月は文字盤に形成した数字を利用し、他の数字より大きく表現し、時には文字盤からはみ出して形成している。従って、記念日は時計の一部として組み合わされ、意匠的にも優れたユニークな時計となる。
【００１２】
記念日は月を大きく表現していることで、壁に掛けられたりテーブルに置かれた時計を目にすることで記念日の月を忘れることはなく、月が目に留まることで、自ずと記念日が目に入るようになる。すなわち、従来の時計のように記念日に成ったところで表示すると時計とは違い、常に記念日を認識することが可能となる。
【図面の簡単な説明】
【００１３】
【図１】本発明に係る記念日を表示した時計の実施例。
【図２】本発明に係る記念日を表示した時計の他の実施例。
【図３】本発明に係る記念日を表示した時計の別の実施例。
【発明を実施するための形態】
【００１４】
図１は本発明に係る時計を表す実施例であり、同図の１は時計本体、２は短針、３は長針を表している。時計本体１は四角形をした木製盤４から成り、本体表面表５には時刻を表す数字４，５，６・・・が周囲に形成されている。上記短針２及び長針３は時計本体１に設けられて本体表面５から起立する軸６に取付けられ、該時計本体１に取付けられている駆動機構（図示なし）にて、一定速度で回転することが出来る。
【００１５】
時計の基本的な構造に関しては従来から存在するものと共通し、本体表面５に形成される数字４，５・・・は木製板を切り抜いて作成したもので、その為に一定の厚みを有している。木製板を切り抜いて作った数字２，４，５・・・は本体表面５に接着剤を介して固定され、そして上記短針２及び長針３を取付けている軸６は大きく延びて、該短針２及び長針３が回転する際に上記数字２，４，５・・・に接することがないようにしている。
【００１６】
ところで、本発明の時計は特定の記念日を表示した形態と成っていて、図１に示す時計の場合、２０１６年２月１２日が記念日であることを表している。年を示す２０１６は、上記数字４，５・・・と同じく、木製板を切り付いて作られて時計本体１のコーナー部に固定されている。
月を示す数字２は、上記時刻を示す数字４，５，６・・・と同じく、木製板を切り抜いて作られているが、その大きさは他の数字４，５，６・・・に比べて非常に大きく成っている。
【００１７】
すなわち、数字「２」は、時刻を表す数字１，２，３の領域に跨った大きさにて形成され、しかも時計本体１からその一部ははみ出している。この大きな数字「２」は記念日の月を表しており、特定の記念日が２月であることを示している。そして、記念日である１２日は長針３に表示している。
このように記念日の月に当たる「２」を極端に大きくすることで、時計を見る度に目に留まり、２月を忘れることはない。
【００１８】
また、１２日は長針３に形成することで、その大きさは大きくないが、時刻を示す長針３が目に入ると同時に、数字「１２」は必然的に目に留まることになる。ただし、日を示す数字「１２」は長針３でなく本体表面５に形成することも出来る。図２は記念日の数字「１２」を本体表面５に形成した実施例であり、数字９と針の間に設けている。
【００１９】
ところで、特定の記念日とは、具体的には誕生日であり、結婚記念日であり、又は新築記念日、子供の誕生日、さらには会社設立の記念日など色々ある。このような記念日のお祝いとして知人から頂いた品が本発明の時計であるならば、該記念日を忘れることはない。勿論、他人からの贈り物ではなく、自ら購入して使うことも出来る。
記念日では月が最も重要であり、その為に本発明では月に当たる数字を極端に大きくし、記念日の月を心に留めることで日を忘れることはない。
【００２０】
図３は本発明に係る時計を示す別の実施例である。同図に示す時計の場合、時刻を表示する数字の代わりに、所定の位置に●印を設けている。時には、この●印もない時計として構成することも可能である。
実施例で示した特別の記念日は２０１６年２月１２日であるが、記念日が他の日である場合も同じように構成することが出来る。そして、時計本体１は四角形の木製盤４を用いているが、円形盤であってもよく、又は樹脂を成形した時計本体１とすることもある。
【符号の説明】
【００２１】
１  時計本体
２  短針
３  長針
４  木製盤
５  本体表面
６  軸
【図１】
2018013410.tif 000003
【図２】
2018013410.tif 000004
【図３】
2018013410.tif 000005